(57)【特許請求の範囲】
【請求項１】
多数の金属製四角筒（１），（１）・・を壁面（Ｗ）に沿って所定間隔で配置するとともに、前記金属製四角筒（１），（１）・・には、フレ止め部材（１１）が貫通支持されている建造物用下地構造であって、前記各金属製四角筒（１）は、所定の幅に切断された金属板をその両端が一つの面（８）において接するように四角筒状に折曲して構成されており、前記金属板の一方の端部には、前記金属製四角筒（１）の内側に向かって折曲され、さらにその先端部が前記金属製四角筒（１）の外側に向かって折曲されてなる逆Ｊ字状折曲部（３）が設けられ、前記金属板の他方の端部には、前記金属製四角筒（１）の内側に向かって逆Ｕ字状に折曲されてなる逆Ｕ字状折曲部（４）が設けられ、両者を連続して嵌合圧着せしめて上下方向に連続する平面型接続部（２）として成形され、前記各金属製四角筒（１）には、前記平面型接続部（２）における逆Ｕ字状折曲部（４）の基端から前記金属製四角筒（１）の内側に向かってコの字状に突出し且つ前記逆Ｊ字状折曲部（３）の側端面に接するリブ（１９）が上下方向に連続して形成されており、前記各金属製四角筒（１）において前記平面型接続部（２）が形成されている面（８）は、前記壁面（Ｗ）に対面せしめられ、前記各金属製四角筒（１）において前記平面型接続部（２）が形成されている面（８）と対向する面（７）は、ボード貼付面とされていることを特徴とする建造物用下地構造。
【発明の詳細な説明】
【０００１】
【産業上の利用分野】
【０００２】
本願発明は、建築物の内装工事において壁面に沿って形成される（例えば、フカシ壁用あるいはフカシ天井用として用いられる）建造物用下地構造に関するものである。
【従来の技術】
【０００３】
建築物の内装工事に使用される金属製下地材として一般的に普及しているものは、日本工業規格ＪＩＳＡ６５１７建築用鋼製下地材（壁、天井）に規定されており、壁材として規定されているスタッドとしては、断面コの字状を呈しているものが知られている。
【発明が解決しようとする課題】
【０００４】
この壁材用スタッドは、三面は金属に囲まれているが、残る一面は開放部分となっているため、開放部分の対面する面に単独または複数個のフレ止め通し穴を設け、フレ止め用のチャンネルをこれに通して下地材の補強をしなくては使用できないという不具合があった。
【０００５】
この開放部分は、別の部材であるスペーサを嵌め込んではずれないようにするため、コの字形状の端部が互いに内側に向くようにオーバーベンド形状にしている。
【０００６】
このオーバーベンド形状にされた面は、両面とも当然ボード貼り面となるので、そのために開放部分にオーバーベンドを矯正するスペーサが嵌め込まれるが、スペーサが嵌め込まれる部分は点であり、それ以外の部分ではオーバーベンドの状態のままになっている。この場合、オーバーベンド状態のままとなっている部分にボードとボードとの継ぎ目がくると、継ぎ目に段差ができる目違いが生ずるという不具合もある。
【０００７】
本願発明は、上記の点に鑑みてなされたもので、フカシ壁用あるいはフカシ天井用として用いられるに適した建造物用下地構造を提供することを目的とするものである。
【課題を解決するための手段】
【０００８】
本願発明の基本構成では、上記課題を解決するための手段として、多数の金属製四角筒１，１・・を壁面Ｗに沿って所定間隔で配置するとともに、前記金属製四角筒１，１・・に、フレ止め部材１１が貫通支持されている建造物用下地構造において、前記各金属製四角筒１を、所定の幅に切断された金属板をその両端が一つの面８において接するように四角筒状に折曲して構成し、前記金属板の一方の端部に、前記金属製四角筒１の内側に向かって折曲され、さらにその先端部が前記金属製四角筒１の外側に向かって折曲されてなる逆Ｊ字状折曲部３を設け、前記金属板の他方の端部に、前記金属製四角筒１の内側に向かって逆Ｕ字状に折曲されてなる逆Ｕ字状折曲部４を設けて、両者を連続して嵌合圧着せしめて上下方向に連続する平面型接続部２として成形し、前記各金属製四角筒１に、前記平面型接続部２における逆Ｕ字状折曲部４の基端から前記各金属製四角筒１の内側に向かってコの字状に突出し且つ前記逆Ｊ字状折曲部３の側端面に接するリブ１９を上下方向に連続して形成するとともに、前記各金属製四角筒１において前記平面型接続部２が形成されている面８を、前記壁面Ｗに対面せしめる一方、前記各金属製四角筒１において前記平面型接続部２が形成されている面８と対向する面７を、ボード貼付面としている。
【０００９】
上記のように構成したことにより、フレ止め部材１１により横ユレが防止された堅牢な下地構造が得られところから、ボード貼付時の作業性が向上するとともに、平面型接続部２が形成されている面８と対向する面７をボード貼付面とすることができるため、フカシ壁あるいはフカシ天井用下地構造として最適なものとなる。しかも、リブ１９の形成によって、平面型接続部２の外れ防止および金属製四角筒１の剛性強化を図ることができる。
【発明の実施の形態】
【００１０】
以下、添付の図面を参照して本願発明の幾つかの好適な実施の形態について詳述する。
【００１１】
第１の実施の形態
図１ないし図３には、本願発明の第１の実施の形態にかかる建造物用下地構造が示されている。
【００１２】
この建造物用下地構造は、フカシ壁用の下地構造であり、図１に示すように、多数の金属製四角筒１，１・・を壁面Ｗに沿って所定間隔で配置するとともに、前記金属製四角筒１，１・・に、フレ止め部材であるチャンネル１１を貫通支持して構成されている。符号２１，２２は金属製四角筒１，１・・の上下両端を支持するためのランナーである。
【００１３】
前記各金属製四角筒１は、図２に示すように、所定の幅に切断された金属板をその両端が一つの面８において接するように四角筒状に折曲して構成されており、前記金属板の一方の端部には、前記金属製四角筒１の内側に向かって折曲され、さらにその先端部が前記金属製四角筒１の外側に向かって折曲されてなる逆Ｊ字状折曲部３が設けられ、前記金属板の他方の端部には、前記金属製四角筒１の内側に向かって逆Ｕ字状に折曲されてなる逆Ｕ字状折曲部４が設けられており、両者を連続して嵌合圧着せしめて上下方向に連続する平面型接続部２として成形されている。そして、該コーナ型接続部２における逆Ｕ字状折曲部４の基端から前記金属製四角筒１の内側に向かってコの字状に突出し且つ前記逆Ｊ字状折曲部３の側端面に接するリブ１９が上下方向に連続して形成されている。そして、前記各金属製四角筒１において前記平面型接続部２が形成されている面８は、前記壁面Ｗに対面せしめられる一方、前記各金属製四角筒１において前記平面型接続部２が形成されている面８と対向する面７は、上貼り用のボード２３を貼付するためのボード貼付面とされている。なお、前記リブ１９は、平面型接続部２の外れを防止するとともに金属製四角筒１の剛性を強化する作用をなす。
【００１４】
前記金属製四角筒１の四面５〜８のうち一方の相対向する二面５，６（即ち、面７，８と隣り合う面）は正面および裏面とされ、該正面５と裏面６の横方向ほぼ中央部には、前記チャンネル１１を開放側を下向きあるいは上向きとして嵌合するためのチャンネル嵌合溝１２を底部に有する正面側切欠開口９と、該正面側切欠開口９と相対向する裏面側切欠開口１０とがそれぞれ形成されている。
【００１５】
前記正面側切欠開口９の一方の片側口縁９ａ（換言すれば、チャンネル嵌合溝１２の上方に位置する一方の片側口縁９ａ）には、該片側口縁９ａを折曲部１３として開閉自在とされ且つ閉止時に前記チャンネル１１の上方に近接される固定片１４が一体に突設されている。該固定片１４の自由端と正面側切欠開口９の他方の片側口縁９ａとの間には隙間が形成される。本実施の形態においては、前記固定片１４の開閉中心となる折曲部１３の上下には、該固定片１４の開閉動作を容易ならしめるための折曲補助手段として作用する円弧状のヌスミ部１７および長穴１８が形成されている。該ヌスミ部１７および長穴１８は折曲部１３の剛性を低減させて固定片１４の開閉を容易ならしめるためのものである。なお、長穴１８の形成個数は任意である。
【００１６】
前記チャンネル嵌合溝１２は、チャンネル１１の横幅よりやや幅広とされており、その両側口縁１２ａ，１２ａには、前記チャンネル１１の嵌合時に該チャンネル１１の両側面に圧接される舌片１５，１５が一体に形成されている。つまり、チャンネル嵌合溝１２にチャンネル１１が嵌合された状態においては、チャンネル１１は、舌片１５，１５の圧接力により横方向移動が許容されない状態とされているのである。なお、前記裏面側切欠開口１０の底部にも、前記正面側切欠開口９におけるチャンネル嵌合溝１２と対向し且つチャンネル１１の横幅とほぼ同一の幅（即ち、嵌合されたチャンネル１１の横方向移動が許容されない幅）を有するチャンネル嵌合溝１６が形成されている。
【００１７】
前記固定片１４は、図３に示すように、前記チャンネル１１の挿通時にチャンネル１１の先端により横向きに押し開かれるか、チャンネル１１の挿通前に手指により予め横向きに押し開かれ、チャンネル１１がチャンネル嵌合溝１２に位置決めされた状態において指力により横向きに閉じられることとなっている。そして、閉じられた状態において、固定片１４下端がチャンネル１１の上方に近接されてチャンネル１１の上方移動が規制されるようになっている。なお、閉じられた状態において、固定片１４の下端とチャンネル１１との間に若干の隙間Ｓが介在される方が、固定片１４の操作性を良好ならしめるためには好ましい。該隙間Ｓは、チャンネル１１が舌片１５，１５による規制力が作用しないようになるまで上方へ移動することができない程度の大きさとされる。
【００１８】
また、前記固定片１４の上方は、該固定片１４の開閉操作時において指等の出入りを許容する余剰開口２０とされている。
【００１９】
次に、上記構成の建造物用下地構造の組立手順について説明する。
【００２０】
まず、図１に示すように、例えば天井スラブ面と床面とにコの字状のランナー２１，２２をそれらの開放側が対向するようにして配設する。
【００２１】
次に、上記構成の複数の金属製四角筒１，１・・の上下端を上下のランナー２１，２２に嵌め込んでいき、金属製四角筒１，１・・をランナー２１，２２の流れ方向に所定間隔で建て込む。この時、金属製四角筒１，１・・のそれぞれの正面５および裏面６は同方向に向けられる。このようにすると、ランナー２１，２２のスパン方向に平行して各金属製四角筒１におけるボード貼付面７および平面型接続部２が形成されている面８が並ぶこととなる。
【００２２】
しかる後、チャンネル１１を縦向き（即ち、開放側が横向きとなる向き）として各金属製四角筒１の裏面側切欠開口１０から正面側切欠開口９に次々に挿入する。すると、チャンネル１１の先端により固定片１４が横向き（即ち、矢印Ｍ方向）に押し開けられる。その後チャンネル１１を符号１１′で示すように正規の姿勢（即ち、開放側を下向きとした姿勢）に姿勢変更させ、その後下方へ押し下げて正面側および裏面側切欠開口９，１０のチャンネル嵌合溝１２，１６に嵌合位置決めする。この状態においては、チャンネル１１はチャンネル嵌合溝１２における舌片１５，１５の圧接規制力により横方向の移動が規制されることとなる。
【００２３】
次に、チャンネル１１の挿通時に押し開かれた固定片１４を指力を用いて、矢印Ｎ方向に押し戻すと、固定片１４下端がチャンネル１１の上方に近接される。この状態においては、チャンネル１１は上方への移動が固定片１４により規制されることとなる。
【００２４】
なお、金属製四角筒１に複数対の正面側および裏面側切欠開口９，１０が形成されている場合には、上記作業を複数回繰り返す。
【００２５】
上記したようにチャンネル１１を組み付けると、チャンネル１１は、チャンネル嵌合溝１２における舌片１５，１５によって横方向の移動が規制されるとともに、固定片１４によって上方への移動が規制されることとなり、金属製四角筒１，１・・相互間がチャンネル１１により強固に連結されることとなる。この状態においては、金属製四角筒１，１・・のランナースパン方向へのユレが完全に防止されることとなり、堅牢な壁面下地構造が仕上がる。
【００２６】
その後、ボード貼付面７に対してドライウォールスクリュー（小ビス）を用いて上貼り用のボード２３が張設されるが、金属製四角筒１，１・・がチャンネル１１による連結性確保によってユレ防止された堅牢な壁面下地構造が得られているところから、ボード貼付作業が極めて迅速且つ確実に行えるのである。
【００２７】
上記説明では、固定片１４をチャンネル１１の挿通により押し開くようにしているが、予め固定片１４を押し開いた状態でチャンネル１１を挿通するようにしてもよい。
【００２８】
また、上記説明では、開放側が下向きとなるようにしてチャンネル嵌合溝１２，１６にチャンネル１１を嵌合するようにしているが、開放側を上向きとなるようにしてチャンネル１１をチャンネル嵌合溝１２，１６に嵌合するようにしてもよい。
【００２９】
第２の実施の形態
図４には、本願発明の第２の実施の形態にかかる建造物用下地構造の要部が示されている。
【００３０】
この場合、正面側切欠開口９の両側口縁９ａ，９ａには、該両側口縁９ａ，９ａを折曲部１３，１３として開閉自在とされ且つ閉止時に前記チャンネル１１の上方に近接される一対の固定片１４，１４がそれぞれ一体に突設されている。つまり、固定片１４，１４は、観音開き状態で開閉されることとなっているのである。そして、前記固定片１４，１４の閉止時においては、該固定片１４，１４の自由端１４ａ，１４ａ間には、所定の間隔が形成されることとなっている。該間隔の大きさは、チャンネル１１が開放側を横向きとした状態で挿通できる程度とするのが望ましい。その他の構成は第１の実施の形態におけると同様なので説明を省略する。
【００３１】
上記のように構成したことにより、金属製四角筒１の相対向する二面５，６の一方側に形成された裏面側切欠開口１０から正面側切欠開口９の固定片１４，１４を押し開きながらチャンネル１１を挿通させ、あるいは固定片１４，１４を手指で押し開いた状態でチャンネル１１を挿通させた後、該チャンネル１１を正面側切欠開口９の下端のチャンネル嵌合溝１２における舌片１５，１５に対して嵌合位置決めし、その後前記固定片１４，１４を閉じてその下端をチャンネル１１の上方に近接させると、チャンネル１１のチャンネル嵌合溝１２からの離脱が規制されることとなり、金属製四角筒１へのチャンネル１１の組付が確実且つ強固となる。その他の作用効果は第１の実施の形態におけると同様なので説明を省略する。
【００３２】
第３の実施の形態
図５には、本願発明の第３の実施の形態にかかる建造物用下地構造の要部が示されている。
【００３３】
この場合、正面側切欠開口９と裏面側切欠開口１０とは同形状とされており、正面側切欠開口９および裏面側切欠開口１０の両方に、フレ止め用のチャンネル１１を嵌合するためのチャンネル嵌合溝１２，１２がそれぞれ形成されている。そして、前記チャンネル嵌合溝１２，１２の各両側口縁１２ａ，１２ａには、前記チャンネル１１の嵌合時に該チャンネル１１の両側面に圧接される舌片１５，１５をそれぞれ一体に形成されるとともに、前記正面側切欠開口９における片側口縁９ａと前記裏面側切欠開口１０における前記片側口縁９ａの反対側に位置する片側口縁１０ａには、該片側口縁９ａ，１０ａを折曲部１３，１３として開閉自在とされ且つ閉止時に前記チャンネル１１の上方に近接される固定片１４，１４をそれぞれ一体に突設されている。該固定片１４，１４は、前記チャンネル１１の長手方向一端部の上方に近接されればよく、幅寸法は短くてもよい（例えば、開口９，１０の幅の半分程度でもよい）。その他の構成は第１の実施の形態におけると同様なので説明を省略する。
【００３４】
上記のように構成したことにより、金属製四角筒１の相対向する二面５，６に形成された正面側切欠開口９および裏面側切欠開口１０固定片１４，１４を手指で押し開いた状態でチャンネル１１を挿通させた後、該チャンネル１１を正面側および裏面側切欠開口９，１０下端のチャンネル嵌合溝１２，１２における舌片１５，１５に対して嵌合位置決めし、その後前記固定片１４，１４を閉じてその下端をチャンネル１１の上方に近接させると、チャンネル１１のチャンネル嵌合溝１２，１２からの離脱が規制されることとなり、金属製四角筒１へのチャンネル１１の組付が確実且つ強固となる。なお、本実施の形態の場合、正面側および裏面側開口９，１０において固定片１４，１４によりチャンネル１１の反対側位置の離脱規制を行うようにしているので、金属製四角筒１へのチャンネル１１の組付がより一層確実且つ強固となる。その他の作用効果は第１の実施の形態におけると同様なので説明を省略する。
【００３５】
なお、上記説明では、フカシ壁用の下地構造を実施の形態としているが、本願発明は、フカシ天井用の下地構造にも適用可能なことは勿論である。
【発明の効果】
【００３６】
本願発明によれば、多数の金属製四角筒１，１・・を壁面Ｗに沿って所定間隔で配置するとともに、前記金属製四角筒１，１・・に、フレ止め部材１１が貫通支持されている建造物用下地構造において、前記各金属製四角筒１を、所定の幅に切断された金属板をその両端が一つの面８において接するように四角筒状に折曲して構成し、前記金属板の一方の端部に、前記金属製四角筒１の内側に向かって折曲され、さらにその先端部が前記金属製四角筒１の外側に向かって折曲されてなる逆Ｊ字状折曲部３を設け、前記金属板の他方の端部に、前記金属製四角筒１の内側に向かって逆Ｕ字状に折曲されてなる逆Ｕ字状折曲部４を設けて、両者を連続して嵌合圧着せしめて上下方向に連続する平面型接続部２として成形し、前記各金属製四角筒１に、前記平面型接続部２における逆Ｕ字状折曲部４の基端から前記各金属製四角筒１の内側に向かってコの字状に突出し且つ前記逆Ｊ字状折曲部３の側端面に接するリブ１９を上下方向に連続して形成するとともに、前記各金属製四角筒１において前記平面型接続部２が形成されている面８を、前記壁面Ｗに対面せしめる一方、前記各金属製四角筒１において前記平面型接続部２が形成されている面８と対向する面７を、ボード貼付面としているので、フレ止め部材１１により横ユレが防止された堅牢な下地構造が得られところから、ボード貼付時の作業性が向上するとともに、平面型接続部２が形成されている面８と対向する面７をボード貼付面とすることができるため、フカシ壁あるいはフカシ天井用下地構造として最適なものとなるという優れた効果がある。しかも、リブ１９の形成によって、平面型接続部２の外れ防止および金属製四角筒１の剛性強化を図ることができるという効果もある。
【図面の簡単な説明】
【図１】  本願発明の第１の実施の形態にかかる建造物用下地構造を示す斜視図である。
【図２】  本願発明の第１の実施の形態にかかる建造物用下地構造の要部を示す斜視図である。
【図３】  本願発明の第１の実施の形態にかかる建造物用下地構造の要部を示す側面図である。
【図４】  本願発明の第２の実施の形態にかかる建造物用下地構造の要部を示す斜視図である。
【図５】  本願発明の第３の実施の形態にかかる建造物用下地構造の要部を示す斜視図である。
【符号の説明】
１は金属製四角筒、２は平面型接続部、３は逆Ｊ字状折曲部、４は逆Ｕ字状折曲部、５は正面、６は裏面、７はボード貼付面、８は平面型接続部形成面、１９はリブ、Ｗは壁面。
【図１】
0004015741.tif 000002
【図２】
0004015741.tif 000003
【図３】
0004015741.tif 000004
【図４】
0004015741.tif 000005
【図５】
0004015741.tif 000006